(57)【要約】【課題】本発明は、空気調和装置に関するもので、空気調和装置の耐久性を更に向上することを目的とする。【解決手段】略箱形状の本体ケース１と、本体ケース１に配置された第１のファン３と空気調和手段である空気清浄手段５と、第１のファン３と電線部によって電気的に接続された電源接続部２７とを備え、第１のファン３は、第１のモータ部２２と、第１のモータ部２２によって回転する第１の羽根部２１とを有し、電源接続部２７と第１のモータ部２２とは本体ケース１の天面の外側に固定され、少なくとも電源接続部２７と第１のモータ部２２の上方を覆う天板部３０を備え、天板部３０と本体ケース１の天面との間には、本体ケース１外と連通する空間３１を有する。【選択図】図５
2016090156.tif 000002
【特許請求の範囲】
【請求項１】
略箱形状の本体ケースと、前記本体ケースに配置されたファンと空気調和手段と、前記ファンと電線部によって電気的に接続された電源接続部とを備え、前記ファンは、モータ部と、前記モータ部によって回転する羽根部とを有し、前記電源接続部と前記モータ部とは前記本体ケースの天面の外側に固定され、少なくとも前記電源接続部と前記モータ部の上方を覆う天板部を備え、前記天板部と前記本体ケースの天面との間には、前記本体ケース外と連通する空間を有することを特徴とする空気調和装置。
【請求項２】
前記天板部は、前記本体ケースの天面から上方に延びた複数のボス部と、締結部によって固定され、前記天板部は、前記モータ部および前記電源接続部との間に隙間を備えたことを特徴とする請求項１に記載の空気調和装置。
【請求項３】
前記隙間は、前記電線部の直径より大きいことを特徴とする請求項２に記載の空気調和装置。
【請求項４】
前記本体ケースの天面の外側には、上方に延びた複数の脚部を有し、前記脚部の先端は、前記天板部の上面と同じ位置、または前記天板部の上面より突出していることを特徴とする請求項１から３のいずれかに記載の空気調和装置。
【請求項５】
前記天板部の前記電源接続部の上方に位置する電源接続カバー部分は、仰角方向に回動することを特徴とする請求項１から４のいずれかに記載の空気調和装置。
【請求項６】
前記天板部の材質は、樹脂材料であり、細長い薄肉部分であるひんじ部を有し、前記天板部の前記電源接続部の上方部分は、前記ひんじ部を回動中心とすることを特徴とする請求項５に記載の空気調和装置。
【発明の詳細な説明】
【技術分野】
【０００１】
本発明は、例えば天井に取り付けられる空気調和装置に関するものである。
【背景技術】
【０００２】
従来のこの種の空気調和装置の構成は、下記のようなものとなっていた。
【０００３】
すなわち、略箱形状の本体ケースと、本体ケース内に配置された空気調和手段と第１のファンと、本体ケースの下面に設けた第１の本体吹出口と第１の本体吸込口とを有している。（例えば特許文献１参照）。
【先行技術文献】
【特許文献】
【０００４】
【特許文献１】特開２００６−９７９９８号公報
【発明の概要】
【発明が解決しようとする課題】
【０００５】
上記従来例で課題となるのは、更なる空気調和装置の耐久性向上である。
【０００６】
すなわち、上記従来例における空気調和装置は、略箱形状の本体ケースに配置された空気調和手段と第１のファンとを備えている。この第１のファンは、モータと羽根とを有している。このモータが、本体ケース内に設けられているので、モータでの発熱が、本体ケース内に溜まり易く、モータの温度上昇が高くなり、ベアリング等の耐久性が低下する場合がある。
【０００７】
そこで本発明は、更に空気調和装置の耐久性を向上することを目的とするものである。
【課題を解決するための手段】
【０００８】
そして、この目的を達成するために本発明は、略箱形状の本体ケースと、前記本体ケースに配置されたファンと空気調和手段と、前記ファンと電線部によって電気的に接続された電源接続部とを備え、前記ファンは、モータ部と、前記モータ部によって回転する羽根部とを有し、前記電源接続部と前記モータ部とは前記本体ケースの天面の外側に固定され、少なくとも前記電源接続部と前記モータ部の上方を覆う天板部を備え、前記天板部と前記本体ケースの天面との間には、前記本体ケース外と連通する空間を有することを特徴とし、これにより初期の目的を達成するものである。
【発明の効果】
【０００９】
以上のように、本発明は、略箱形状の本体ケースと、前記本体ケースに配置されたファンと空気調和手段と、前記ファンと電線部によって電気的に接続された電源接続部とを備え、前記ファンは、モータ部と、前記モータ部によって回転する羽根部とを有し、前記電源接続部と前記モータ部とは前記本体ケースの天面の外側に固定され、少なくとも前記電源接続部と前記モータ部の上方を覆う天板部を備え、前記天板部と前記本体ケースの天面との間には、前記本体ケース外と連通する空間を有することを特徴としたので、更に空気調和装置の耐久性を向上することができる。
【００１０】
すなわち本発明においては、少なくとも電源接続部とモータ部の上方を覆う天板部を備え、天板部と本体ケースの天面との間には、本体ケース外と連通する空間を有するので、モータ部での発熱は、モータ部から空間を介して、本体ケース外へ放熱される。これにより、モータ部の温度上昇を低減でき、ベアリング等の耐久性が向上する。結果として、更に空気調和装置の耐久性を向上することができる。
【図面の簡単な説明】
【００１１】
【図１】本発明の実施の形態の空気調和装置の設置状態を示す図
【図２】同空気調和装置の展開図
【図３】同空気調和装置の内部を示す図
【図４】同空気調和装置の断面図
【図５】同空気調和装置の斜視図
【図６】同空気調和装置の展開図
【図７】同空気調和装置の断面図
【発明を実施するための形態】
【００１２】
以下、本発明の実施の形態について、図面を参照しながら説明する。
【００１３】
図１は、実施の形態の空気調和装置の設置状態を示す図である。図２は、実施の形態の空気調和装置の展開図である。図２は、本体ケースにおける斜め下方から見た状態で、ルーバと、空気清浄手段とを外した展開図である。
【００１４】
図１、図２に示すように、天井埋込形で、換気機能を備えた空気調和装置に係るものである。
【００１５】
空気調和装置は、下方から見ると四角形である略箱形状の本体ケース１の下方に、ルーバ２を設け、本体ケース１には、空気調和手段である空気清浄手段５と、後述する第１のファン３と、第２のファン４とを有している。
【００１６】
空気調和装置は、天井６裏に挿入設置される。本体ケース１は、上下方向の厚みが小さい、下面が開口した略箱形状で、水平断面形状は、四角形である。
【００１７】
本体ケース１の下面の開口には、この開口を塞ぐように装着されるケース下面カバー８を備えている。このケース下面カバーには、第１の本体吸込口９と、第２の本体吸込口１０と、第１の本体吹出口１１とを備えている。本体ケース１の他方側の側面には、第２の本体吹出口１２を有している。この第２の本体吹出口１２は、屋外と連通するダクト１３に連結される。
【００１８】
ルーバ２は、第１のルーバ吸込口２Ａと、第２のルーバ吸込口２Ｂと、第１のルーバ吹出口２Ｃとを備えている。第１のルーバ吸込口２Ａは、第１の本体吸込口９と連通し、第２のルーバ吸込口２Ｂは、第２の本体吸込口１０と連通し、第１のルーバ吹出口２Ｃは、第１の本体吹出口１１と連通している。
【００１９】
図３は、実施の形態の空気調和装置の内部を示す図である。図３は、本体ケースにおける下方から見た状態である。図４は、実施の形態の空気調和装置の断面図である。
【００２０】
図３、図４に示すように、本体ケース１の下端辺には、外方へ伸びるフランジ部７を備えている。本体ケース１は、天井６に開けられた正方形の孔６Ａに挿入され、フランジ部７を介して、ねじによって天井６に固定される。（図１参照）フランジ部７は、ケース下面カバー８に覆われる。
【００２１】
第２のファン４は、第２のケーシング部１４と、この第２のケーシング部１４内に配置された第２の羽根部１５と、この第２の羽根部１５を駆動する第２のモータ部１６とを有している。
【００２２】
第２のモータ部１６は、第２のモータ部１６の下面より下方へ伸びた第２のモータ回転軸１７を備えている。この第２のモータ回転軸１７に、第２の羽根部１５が固定されている。この第２の羽根部１５の１例は、シロッコファンである。
【００２３】
第２のケーシング部１４は、第２のファン吸込口（図示せず）と第２のファン吹出口１９とを有している。第２のファン吸込口は、第２の本体吸込口１０と連通し、第２のファン吹出口１９は、第２の本体吹出口１２と連通している。第２のファン吸込口は、本体ケース１の第１に対向する他方側（図３における下側）に設けられている。
【００２４】
第２のモータ部１６によって、第２の羽根部１５を駆動すると、室内の空気が、ルーバ２の第２のルーバ吸込口２Ｂから本体ケース１内に吸い込まれる。この吸い込まれた空気は、第２のファン吸込口を介して第２のケーシング部１４内に入り、第２のファン吹出口１９を介して、第２の本体吹出口１２から屋外と連通するダクト１３へ送風される。すなわち、室内の空気を屋外へ換気送風するものである。
【００２５】
図２、図３、図４に示すように、ケース下面カバー８は、本体ケース１における第１に対向する一方側（図４における左側、図３における上側）の下面には、第１の本体吸込口９と第２の本体吸込口１０を有し、本体ケース１における第１に対向する他方側（図４における右側、図３における下側）の下面には、第１の本体吹出口１１を備えている。
【００２６】
第１のファン３は、第１のケーシング部２０と、この第１のケーシング部２０内に配置された第１の羽根部２１と、この第１の羽根部２１を駆動する第１のモータ部２２とを有している。
【００２７】
第１のモータ部２２は、第１のモータ部２２の下面より下方へ伸びた第１のモータ回転軸２３を備えている。この第１のモータ回転軸２３に、第１の羽根部２１が固定されている。この第１の羽根部２１の１例は、シロッコファンである。
【００２８】
第１のケーシング部２０は、下面には、第１のファン吸込口２４が設けられている。第１のケーシング部２０の側面には、本体ケース１における第１に対向する他方側に開口した第１のファン吹出口２５を有している。
【００２９】
第１の本体吸込口９の上方には、第１のファン吸込口２４を設け、第１のファン吸込口２４は、第１の本体吸込口９と連通している。この第１のファン吸込口２４と第１の本体吸込口９との間の風路には、空気清浄手段５を設けている。空気清浄手段５の１例は、集塵ファイルターである。
【００３０】
第１の本体吹出口１１の上方には、第１のファン吹出口２５を備え、第１のファン吹出口２５は、連通路２６を介して、第１の本体吹出口１１と連通している。
【００３１】
第１のモータ部２２によって、第１の羽根部２１を駆動すると、室内の空気が、ルーバ２の第１のルーバ吸込口２Ａから、第１の本体吸込口９に設けられた空気清浄手段５を介して本体ケース１内に吸い込まれる。この吸い込まれた空気は、第１のファン吸込口２４から第１のケーシング部２０内に入り、第１のファン吹出口２５、ルーバ２の第１のルーバ吹出口２Ｃを介して、第１の本体吸込口９から室内へ送風される。すなわち、室内の空気が、空気清浄手段５を介して、循環送風するものである。
【００３２】
図５は、実施の形態の空気調和装置の斜視図である。図６は、実施の形態の空気調和装置の展開図である。図７は、実施の形態の空気調和装置の断面図である。図５、６、７に示すように、本体ケース１の天面の外側には、第１のモータ部２２と、第２のモータ部１６と、電源接続部２７と、制御部２８とを備えている。これら第１のモータ部２２と、第２のモータ部１６と、電源接続部２７と、制御部２８とは、電線部（図示せず）によって電気的に接続されている。すなわち、空気調和装置を室内の天井裏に設置する場合に、天井裏に延びた電源線（図示せず）、室内に設けた操作部（図示せず）とを電源接続部２７に接続することにより、第１のモータ部２２、第２のモータ部１６、電源接続部２７、制御部２８へ電気が供給され、操作部によって空気調和装置の動作を操作できる。
【００３３】
本実施形態の特徴は、少なくとも電源接続部２７と第１のモータ部２２の上方を覆う天板部３０を備え、天板部３０と本体ケース１の天面との間には、本体ケース１外と連通する空間３１を有する点である。具体的には、天板部３０は、第１のモータ部２２、第２のモータ部１６、電源接続部２７、制御部２８の上方を覆う。
【００３４】
これにより、第１のモータ部２２、第２のモータ部１６、制御部２８での発熱は、空間３１を介して、本体ケース１外へ放熱される。これにより、第１のモータ部２２、第２のモータ部１６、制御部２８の温度上昇を低減でき、ベアリング等の耐久性が向上する。結果として、更に空気調和装置の耐久性を向上することができる。
【００３５】
また、第１のモータ部２２、電源接続部２７の上方から滴下した水は、天板部３０に滴下するので、第１のモータ部２２、第２のモータ部１６、電源接続部２７、制御部２８が濡れることを防止できる。
【００３６】
また、天板部３０は、本体ケース１の天面から上方に延びた複数のボス部３２と、締結部３３によって固定されている。天板部３０は、第１のモータ部２２、第２のモータ部１６、制御部２８、および電源接続部２７との間に隙間３４を備えたものである。
【００３７】
これにより、第１のモータ部２２、第２のモータ部１６、制御部２８での発熱は、隙間３４、天板部と本体ケースの天面との間の本体ケース外と連通する空間３１とを介して、本体ケース１外へ放熱される。これにより、第１のモータ部２２、第２のモータ部１６、制御部２８の温度上昇を低減でき、ベアリング等の耐久性が向上する。
【００３８】
また、隙間３４は、電線部の直径より大きい。これにより、電線部が、本体ケース１の天面と天板部３０とに挟まれることを防止できる。
【００３９】
また、本体ケース１の天面の外側には、上方に延びた複数の脚部３５を有し、脚部３５の先端は、天板部３０の上面と同じ位置、または天板部３０の上面より突出している。
【００４０】
すなわち、本体ケース１の天面を下方に向け、床などの水平面に置いた場合に、天板部３０のみが、床に接触することなく、脚部３５の先端も床に接触するものである。これにより、本体ケース１の天面を下方に向け、床などの水平面に置いた場合にも、天板部３０が変形し、電線部が、本体ケース１の天面と天板部３０とに挟まれることを防止できる。
【００４１】
また、天板部３０における電源接続部２７の上方に位置する電源接続カバー部分３０Ａは、仰角方向に回動する。具体的には、電源接続カバー部分３０Ａは、天板部３０の端に設けられ、天板部３０における電源接続部２７の上方に位置している。電源接続カバー部分３０Ａの端部には、電源接続カバー部分３０Ａを本体ケース１の天面に固定する固定部分を有している。固定部分は、本体ケース１の天面から水平方向へ延び、穴を有するボス３６と、電源接続カバー部分３０Ａの端部に設けた孔を有する突起片３７と、ねじ３８とからなる。ボス３６の穴３６Ａと、電源接続カバー部分３０Ａの突起片３７の孔とは同軸上に設けられている。すなわち、ねじ３８を突起片３７の孔を介して、ボス３６の穴にねじ固定することにより、電源接続カバー部分３０Ａが、本体ケース１の天面に固定される。そして、ねじ３８を外すと、電源接続カバー部分３０Ａは、仰角方向に回動できるものである。具体的には、天板部３０の材質は、樹脂材料である。これにより、天板部３０の材質が金属である場合に比べて、重量を低減できる。また、天板部３０の材質が、樹脂材料なので、天板部３０には、細長い薄肉部分であるひんじ部３９を有している。天板部３０の電源接続部２７の上方の電源接続カバー部分３０Ａは、ひんじ部３９を回動中心とする。
【００４２】
これにより、固定部分のねじ３８を外し、電源接続カバー部分３０Ａを回動させることにより、電源接続部２７への結線ができるので、結線作業が容易に行える。また、電源接続カバー部分３０Ａの回動中心は、細長い薄肉部分であるひんじ部３９なので、天板部３０に滴下した水が、回動中心から浸入することを防止できる。
【産業上の利用可能性】
【００４３】
以上のように、本発明は、略箱形状の本体ケースと、前記本体ケースに配置されたファンと空気調和手段と、前記ファンと電線部によって電気的に接続された電源接続部とを備え、前記ファンは、モータ部と、前記モータ部によって回転する羽根部とを有し、前記電源接続部と前記モータ部とは前記本体ケースの天面の外側に固定され、少なくとも前記電源接続部と前記モータ部の上方を覆う天板部を備え、前記天板部と前記本体ケースの天面との間には、前記本体ケース外と連通する空間を有することを特徴としたので、更に空気調和装置の耐久性を向上することができる。
【００４４】
すなわち本発明においては、少なくとも電源接続部とモータ部の上方を覆う天板部を備え、天板部と本体ケースの天面との間には、本体ケース外と連通する空間を有するので、モータ部での発熱は、モータ部から空間を介して、本体ケース外へ放熱される。これにより、モータ部の温度上昇を低減でき、ベアリング等の耐久性が向上する。結果として、更に空気調和装置の耐久性を向上することができる。
【００４５】
このため、家庭用、業務用として、天井取り付けされる空気調和装置に広く活用が期待されるものとなる。
【符号の説明】
【００４６】
１      本体ケース
２      ルーバ
２Ａ    第１のルーバ吸込口
２Ｂ    第２のルーバ吸込口
２Ｃ    第１のルーバ吹出口
３      第１のファン
４      第２のファン
５      空気清浄手段
６      天井
６Ａ    孔
７      フランジ部
８      ケース下面カバー
９      第１の本体吸込口
１０      第２の本体吸込口
１１      第１の本体吹出口
１２      第２の本体吹出口
１３      ダクト
１４      第２のケーシング部
１５      第２の羽根部
１６      第２のモータ部
１７      第２のモータ回転軸
１９      第２のファン吹出口
２０      第１のケーシング部
２１      第１の羽根部
２２      第１のモータ部
２３      第１のモータ回転軸
２４      第１のファン吸込口
２５      第１のファン吹出口
２６      連通路
２７      電源接続部
２８      制御部
３０      天板部
３０Ａ    電源接続カバー部分
３１      空間
３２      ボス部
３３      締結部
３４      隙間
３５      脚部
３６      ボス
３６Ａ    穴
３７      突起片
３８      ねじ
３９      ひんじ部
【図１】
2016090156.tif 000003
【図２】
2016090156.tif 000004
【図３】
2016090156.tif 000005
【図４】
2016090156.tif 000006
【図５】
2016090156.tif 000007
【図６】
2016090156.tif 000008
【図７】
2016090156.tif 000009